(57)【要約】【課題】首筋周辺の不快感や痛みを回避すること、又、僧帽筋に負担をかけない肩パッドを提供することを課題とする。【解決手段】携行物３を吊下げたショルダーベルト２をたすき掛けにして、首筋周辺に肩パッド１が接しないように位置決めベルト１３で携行者Ｐの肩峰上に載置固定できる肩パッド１を提供する。これにより、僧帽筋上に携行物３の重量がかかったショルダーベルト２が乗ることがなく、携行者Ｐの肩の痛みが大きく軽減される。又、携行物３を上下左右に振り回しても、肩パッド１が肩峰上に常時固定され、携行物３の動きに伴ないショルダーベルト２がショルダーベルト取付部１２に対して自由に動くから作業効率が良くなる。【選択図】　　　　　図６
2004049621.tif 000002
【特許請求の範囲】
【請求項１】
肩でたすき掛けすることにより携行物（３）を吊り下げることのできるショルダーベルト（２）に対して取り付ける肩パッド（１）において、
携行者（Ｐ）の肩峰（Ｋ）上に載置される肩峰対応部（１１）と、
この肩峰対応部（１１）にショルダーベルト（２）が位置するように取り付けるするためのショルダーベルト取付部（１２）と、
肩峰対応部（１１）を肩峰（Ｋ）上に固定するためのパッド固定手段（１３）とを備えたことを特徴とする肩パッド。
【請求項２】
パッド固定手段（１３）が、腕に巻きつけることができ、かつ長さ調整が可能なベルトであることを特徴とする、請求項１に記載の肩パッド。
【請求項３】
ショルダーベルト取付部（１２）は、ショルダーベルト（２）を肩峰対応部（１１）に対して摺動可能に取り付けるものであることを特徴とする、請求項１又は２に記載の肩パッド。
【請求項４】
携行物（３）を吊り下げることのできるショルダーベルト（２）に対して取り付ける肩パッド（１）において、
パッド本体（１１）と、このパッド本体（１１）にショルダーベルト（２）を取り付けるショルダーベルト取付部（１２）と、ベルト（１３）とを備え、
このベルト（１３）は、パッド本体（１１）を肩上に載置した状態で腕に巻き付けることが可能なものであることを特徴とする肩パッド。
【発明の詳細な説明】
【０００１】
【発明の属する技術分野】
本願発明は、刈払機や噴霧器等の携行物を、ショルダーベルトを使用して肩に掛ける際、ショルダーベルトに取り付けて使用する肩パッドに関するものである。
【０００２】
【従来の技術】
従来から、刈払機、噴霧器、バッグ、カメラケース、クーラーケース、キャディバッグ等の携行物を、ショルダーベルトを使用して肩に掛けて携行する際に、ショルダーベルトには肩パッドが取り付けられる。
尚、このショルダーベルトは、片方の肩に掛けるものとクロスに掛ける、いわゆるたすき掛けにするものとがあるが、本説明においては、たすき掛けして使用するショルダーベルトについて述べる。
【０００３】
従来の肩パッド１０１は、図１０に示すように、発泡ウレタン素材を扁平な直方体に成形したものを塩化ビニール等の樹脂シートで包み込むと共に、ショルダーベルトを通すためのベルト通し１０２を形成したものである。そして、携行物を吊り下げるショルダーベルト１０３が、このベルト通し１０２の中を貫通することによって、肩パッド１０１がショルダーベルト１０３に取り付けられている。
そして、携行物の携行者は、携行物を取り付けたショルダーベルト１０３を肩にたすき掛けすることによって、携行物を携行するのである。
【０００４】
【発明が解決しようとする課題】
ここで、肩パッド１０１とショルダーベルト１０３とは互いに固定できる構造になっていないので、時として携行者の肩の上からずれて、肩の前あるいは後に位置する事がよく起こる。これにより肩の上に肩パッド１０１が乗っていない事があるので自然にショルダーベルト１０３が直接に首筋の周辺を擦るというふうになる。この首筋周辺には頸動脈や頸静脈が通っているので、例えば草刈りのために使用する刈払機等、携行物が重量物である場合は、ショルダーベルト１０３で首筋周辺を擦ることによって、携行者に不快感や痛みを与えることがあった。又、肩パッド１０１がうまく肩の上に止まったとしても、たすき掛けのため、肩パッド１０１の側辺が首筋の方に寄ってきて擦ってしまう場合もあった。
つまり、この従来の肩パッド１０１は、携行物の重みによる肩の痛みを軽減することは考えられているが、首筋周辺を擦ることにより携行者に与える不快感や痛みについては考えられていなかった。
【０００５】
又、刈払機等、重い携行物を吊り下げた状態のショルダーベルト１０３をたすき掛けにし、作業しながら歩行することは、携行者が例え力持ちであっても、肩が痛く、肩こりの原因にもなる。これは、ショルダーベルト１０３にかかる携行物の重みを身体の僧帽筋の部分で受けるからである。
この僧帽筋に長時間負担をかけたままの歩行や作業は、携行者の肉付きの良い、悪いにかかわらず苦痛を伴なうものであった。
【０００６】
上記の問題点に鑑み、本願発明は、首筋周辺の不快感や痛みを回避すること、又、僧帽筋に負担をかけない肩パッドを提供することを課題とする。
そして、本願発明の他の目的は、肩パッドの位置ずれを防止することが可能な肩パッドを提供することにある。
【０００７】
【課題を解決するための手段】
上記課題を解決するために、本願第１の発明は、肩でたすき掛けすることにより携行物３を吊り下げることのできるショルダーベルト２に対して取り付ける肩パッド１において、携行者Ｐの肩峰Ｋ上に載置される肩峰対応部１１と、この肩峰対応部１１にショルダーベルト２が位置するように取り付けるするためのショルダーベルト取付部１２と、肩峰対応部１１を肩峰Ｋ上に固定するためのパッド固定手段１３とを備えたことを特徴とする肩パッドを提供する。
【０００８】
又、本願第２の発明は、第１の発明において、パッド固定手段１３が、腕に巻きつけることができ、かつ長さ調整が可能なベルトであることを特徴とする、請求項１に記載の肩パッドを提供する。
【０００９】
又、本願第３の発明は、第１又は第２の発明において、ショルダーベルト取付部１２は、ショルダーベルト２を肩峰対応部１１に対して摺動可能に取り付けるものであることを特徴とする、請求項１又は２に記載の肩パッドを提供する。
【００１０】
又、本願の第４の発明は、　携行物３を吊り下げることのできるショルダーベルト２に対して取り付ける肩パッド１において、パッド本体１１と、このパッド本体１１にショルダーベルト２を取り付けるショルダーベルト取付部１２と、ベルト１３とを備え、このベルト１３は、パッド本体１１を肩上に載置した状態で腕に巻き付けることが可能なものであることを特徴とする肩パッドを提供する。ショルダーベルト２をパッド本体１１に取り付けた場合、ショルダーベルト２の掛け方如何に係わらず、ショルダーベルト２の加重や人の動きによって、肩パッド１がずれようとする。例えば、肩峰Ｋ上にショルダーベルト２を載置した場合であっても、僧帽筋Ｓ上に載置した場合にあっても、人が動く以上、或いは、携行物３を動かす以上、ショルダーベルト２に取り付けた肩パッド１は、これらの動きによって、ズレが生ずる。その結果、携行者Ｐが希望しない位置に肩パッド１が移動してしまうことが多い。そこで、第４の発明に係る肩パッド１にあっては、パッド本体１１を肩上に載置した状態で腕に巻き付けることが可能なベルト１３を設けることによって、肩パッド１の位置ズレを防止することができる肩パッドを提供したものである。
【００１１】
【発明の実施の形態】
以下、図面に基づき本願発明の実施の形態の一例をあげて説明する。図１及び図２は、本例の肩パッドを示す説明図であり、図３及び図４は、他の例の肩パッドを示す説明図であり、図６は使用状態の一例を示す説明図である。
【００１２】
本願発明に係る肩パッド１は刈払機等、重い携行物３を吊り下げたショルダーベルト２を肩に掛けた時の肩の痛みを和らげるため以下の構造になっている。
肩パッド１には、肩パッド本体として、発泡したウレタン等の柔らかい素材を樹脂シート等で包み縫製することにより、携行者Ｐの肩に当接する部分である、肩峰対応部１１が形成されている。尚、この肩パッド１（肩峰対応部１１）の材質は、上記の縫製品のみならず軟質プラスチック成型品であっても良い。
本例では、肩峰対応部１１の上面（携行者Ｐの肩峰Ｋとの接触面とは逆の面）１１ａには、ショルダーベルト２を固定するため、２ケ所にショルダーベルト取付部１２が設けられている。このショルダーベルト取付部１２は、面ファスナーやホックにより開閉可能とされた扁平な輪状のものであり、ここにショルダーベルト２を通すことによって、肩峰対応部１１に対してショルダーベルト２を摺動可能に取り付けることができる。
又、肩峰対応部１１には、上記のショルダーベルト取付部１２の他に、パッド固定手段としての位置決めベルト１３が環状に形成されている。本例では、肩パッド１の、装着時にあって首筋と反対側に位置する側の側辺であり、ショルダーベルト取付部１２の、ショルダーベルト２の中心線が通る位置よりも肩の外側寄りの位置に形成されている。又、本例では、この位置決めベルト１３は、ショルダーベルト２に比べて小ぶりなベルトを用いており、この位置決めベルト１３を携行者の腕に巻きつけることにより、肩峰対応部１１が携行者の肩峰Ｋに対してずれないようになっている。
尚、肩峰Ｋとは、図８に示すように、狭義では、肩の上端部に位置し、肩甲骨の一部であって、僧帽筋Ｓ（図９参照）よりも肩の外側に位置し、その名が示す通り肩において一番高い部分を言うが、本願発明では、僧帽筋Ｓより外側において肩上部に位置する骨の意味で理解されるべきである。
この位置決めベルト１３は、２本のベルトをいわゆるＤ環１３ａ（図５参照）を介して接続することにより、携行者Ｐの腕周りに合わせて長さ調整が可能となっている。
ここで、位置決めベルト１３の形態は本例のものに限られるものではなく、例えばゴムのように伸び縮み可能な素材を用いるものであっても良いし、Ｄ環１３ａの代わりに面ファスナーを設けておき、その貼り合わせ位置を変えることによって長さ調整を可能にしても良い。
更には、位置決めベルト１３がベルト状のものでなくても良く、肩峰Ｋに対応する衣服の部分に、例えばシール状のもの等により肩パッド１を貼り付けても良い。要するに、このパッド固定手段（位置決めベルト）１３は、肩パッド１が携行者Ｐの肩峰Ｋからずれない構造であれば、種々の形態に変更して実施が可能である。
【００１３】
又、肩峰対応部１１の一部として、図３及び図４に示すように、装着時にあって首筋と反対側に位置する側の位置に、庇状に湾曲張出部１１ｃを形成し、立体縫製するものであっても良い。これにより、肩峰対応部１１の下面１１ｂに、図示では明確ではないが凹部１１ｄを形成することができる。この凹部１１ｄが装着時に肩峰Ｋと一致することによって、肩峰対応部１１を肩峰Ｋに対して、よりずれにくくすることができる。
【００１４】
次に、本願発明に係る肩パッド１の装着方法について述べる。
まず携行者Ｐは、図５に示すように、ショルダーベルト２を肩パッド１のショルダーベルト取付部１２に合致させて、面ファスナーによって固定する。
次に、携行者Ｐはショルダーベルト２を身体にたすき掛けにし、肩パッド１の肩峰対応部１１を肩峰Ｋに装着する。そして、位置決めベルト１３の長さをＤ環１３ａ等で調整して腕（特に、脇の下）に巻くことにより、肩パッド１を固定する。
そして最後に、携行物３を、ショルダーベルト２の吊下部２１で吊り下げることによって、図６に示す状態とすることができる。
上記のように、携行者Ｐが肩パッド１を装着し、長さ調整可能な位置決めベルト１３を腕に巻くことにより、肩峰対応部１１が首筋周辺に接することなく肩峰Ｋ上に固定される。よって、首筋周辺の不快感、痛みを回避することができる。
【００１５】
従来、刈払機等の重い携行物３を携行する場合において、ショルダーベルトをたすき掛けにて肩に掛ける際、一般的に肩の首筋寄り、つまり、僧帽筋Ｓ上に掛けていた。既に述べたように、この僧帽筋Ｓの肉付きの良い人、悪い人に拘わらず、このショルダーベルトを僧帽筋Ｓ上に掛けると肩が痛く、長時間の作業が苦痛になる。これは僧帽筋Ｓの辺りに肩こりのツボが集まっているためである。
これに対して、本願発明に係る肩パッド１は、ショルダーベルト２を位置決めベルト１３により、僧帽筋Ｓ上でなく、常時肩峰Ｋの上に載置することができる。そのため、長時間の作業にあっても肩が痛くならない。これは肩峰Ｋの辺りには肩こりのツボがないためである。
古今東西たすき掛けのべルトはすべからく僧帽筋Ｓから首にかけて掛けるものであると歴史上の作業の慣行に慣らされて来て現代まで来たのであるが、上記の通り、僧帽筋Ｓには肩こりのツボが集まっていてそこに重量のかかったべルトを乗せて長時間作業すると肩が痛くなるのは自明の理であり、本願発明のように、肩パッド１を肩峰Ｋの上に載置することにより、この古来よりの問題を解決することができる。
【００１６】
次に、携行物３が、草刈り作業に用いる刈払機である場合、作業の常として上下左右に振り回す動作が多いが、この動作をするとき、位置決めベルト１３とショルダーベルト取付部１２が効果的に働く。
雑草は平坦な場所に限らず斜面等、色々な地形に生えているため、携行者Ｐは刈払機３を両手で持って地形に沿って先端部のチップソー（円形の回転鋸の刃）を上下左右と動かす。ショルダーベルト２には、図７に示すように、吊下げている携行物３の重量によって、斜め下方向への力Ｆ１がかかっている。そのため、肩パッド１には首筋方向への力Ｆ２がかかる。加えて、この時の上下左右への動作により、力Ｆ２が増幅することがある。従来の肩パッドや、本願発明に係る肩パッド１と同様の形態であっても、位置決めベルト１３の無い肩パッドであれば、刈払機３を上下左右に動かしていると、この力Ｆ２によって肩パッドは勝手に動いて肩からどんどん離れ、首筋に寄ってしまうためその役目を果たさなくなる。しかし、本願発明の肩パッド１においては、携行者Ｐが刈払機３を上下左右に振り回しても、その動きに伴なって、ショルダーベルト２がショルダーベルト取付部１２に対して摺動Ｍをし、しかも位置決めベルト１３が携行者Ｐの脇に引掛けられて取り付けられているため、この位置決めベルト１３に、上記の力Ｆ２に釣り合う力Ｆ３が発生する。これにより、肩パッド１が肩峰Ｋの上に載置された状態を維持することができる。このため、携行者Ｐは肩パッド１のずれを気にせずに、刈払機３を自由に振り回して作業することができる。
又、この肩パッド１にはウレタンが内蔵されているため、携行者Ｐが感じる携行物３の重さが大きく軽減されることは言うまでもない。
【００１７】
【発明の効果】
本願第１及び第２の発明においては、携行物を吊下げたショルダーベルトをたすき掛けにして、首筋周辺に肩パッドが接しないように位置決めベルトで肩峰上に載置することができるため、僧帽筋上に重量のかかったショルダーベルトが乗ることがなく、肩の痛みが大きく軽減される。又、携行物を上下左右に振り回しても、肩パッドは肩峰上に常時固定される。
又、本願第３の発明においては、上記の発明の効果に加え、携行物の動きに伴ないショルダーベルトがショルダーベルト取付部に対して自由に動くから実に作業効率が良くなる。
又、本願第４の発明は、パッド本体を肩上に載置した状態で腕に巻き付けることが可能なベルトを設けることによって、肩パッドの位置ズレを防止することができる肩パッドを提供することができたものである。
【図面の簡単な説明】
【図１】本願発明の実施の形態の一例に係る肩パッドを示す、上方から見た斜視説明図である。
【図２】同肩パッドを示す、下方から見た斜視説明図である。
【図３】本願発明の実施の形態の他の例に係る肩パッドを示す、上方から見た斜視説明図である。
【図４】同肩パッドを示す、下方から見た斜視説明図である。
【図５】本願発明の実施の形態の一例に係る肩パッドをショルダーベルトに取り付けた状態を示す説明図である。
【図６】同肩パッドの使用状態の一例を示す説明図である。
【図７】同肩パッドの使用状態の一例を示す要部拡大説明図である。
【図８】携行者の骨格を示す、（Ａ）は側面視説明図、（Ｂ）は正面視説明図である。
【図９】携行者の筋肉を示す背面視説明図である。
【図１０】従来の肩パッドをショルダーベルトに取り付けた状態を示す説明図である。
【符号の説明】
１　　　肩パッド
１１　　肩峰対応部、パッド本体
１２　　ショルダーベルト取付部
１３　　パッド固定手段、ベルト、位置決めベルト
２　　　ショルダーベルト
３　　　携行物
Ｋ　　　肩峰
Ｐ　　　携行者
【図１】
2004049621.tif 000003
【図２】
2004049621.tif 000004
【図３】
2004049621.tif 000005
【図４】
2004049621.tif 000006
【図５】
2004049621.tif 000007
【図６】
2004049621.tif 000008
【図７】
2004049621.tif 000009
【図８】
2004049621.tif 000010
【図９】
2004049621.tif 000011
【図１０】
2004049621.tif 000012